(57)【特許請求の範囲】
【請求項１】
左右１対の支柱の各々にブラケットを高さ調節可能に係止し、左右のブラケットにより、天板を支持するようにしたラック型テーブルにおいて、
前記各ブラケットの後部に、前記支柱の内側面に沿って後方に延出する延出部を設け、各延出部に、配線挿通用の開口が形成された枠材の左右の端部を架設し、この枠材の前方に天板を配設したことを特徴とするラック型テーブル。
【請求項２】
枠材の開口に、カバーを着脱自在に装着した請求項１記載のラック型テーブル。
【請求項３】
カバーにコンセントを設けた請求項２記載のラック型テーブル。
【発明の詳細な説明】
【０００１】
【発明の属する技術分野】
本発明は、パーソナルコンピュータ等のＯＡ機器を天板上に載置して使用するのに適したラック型テーブルに関し、特に、天板の後方に配線を通したり、コンセントを装着したりしうるようにしたものに関する。
【０００２】
【従来の技術】
従来のこの種のラック型テーブルにおいては、左右の支柱間に架設した天板の後端を、両支柱の後端と整合させるか、または支柱の後端より後方に延出させている。
【０００３】
【発明が解決しようとする課題】
上述のような従来のラック型テーブルにおいては、天板上に載置したＯＡ機器等に接続された配線コードやコンセントその他の接続装置等が天板上に乱雑に置かれたり、天板の後端から垂れ下がったりして見苦しく、また各種の配線がからまって、接続作業が面倒であるという問題がある。
【０００４】
本発明は、従来の技術が有する上記のような問題点に鑑み、左右の支柱間における天板の後方を、配線スペースとして有効かつ体裁よく活用でき、しかも天板を安定して確実に支持しうるようにしたラック型テーブルを提供することを目的としている。
【０００５】
【課題を解決するための手段】
本発明によると、上記課題は、次のようにして解決される。
（１）  左右１対の支柱の各々にブラケットを高さ調節可能に係止し、左右のブラケットにより、天板を支持するようにしたラック型テーブルにおいて、
前記各ブラケットの後部に、前位支柱の内側面に沿って後方に延出する延出部を設け、各延出部に、配線挿通用の開口が形成された枠材の左右の端部を架設し、この枠材の前方に天板を配設する。
【０００６】
（２）  上記（１）項において、枠材の開口に、カバーを着脱自在に装着する。
【０００７】
（３）  上記（２）項において、カバーにコンセントを設ける。
【０００８】
【発明の実施の形態】
以下、図面を参照して本発明の一実施形態を説明する。
図１〜図５に示すように、左右１対の中空状の支柱（１）（１）の後端部同士は、左右方向を向く上部連結杆（２）と中位部連結杆（３）とにより互いに連結されており、両連結杆（２）（３）の間と、中位部連結杆（３）の下方とには、上部幕板（４）と下部幕板（５）とが両支柱（１）（１）の後端部に架設されている。
【０００９】
両支柱（１）（１）の前端面には、多数の係合孔（６）が上下方向に並べて穿設されており、このいずれかの係合孔（６）に、左右１対のブラケット（７）（７）の後端に設けた下向き鉤状のフック（７ａ）（図５及び図１０〜図１２参照）を係止し、左右のブラケット（７）（７）上に天板（８）を載置することにより、天板（８）は両支柱（１）（１）に高さ調節可能として装着されている。
【００１０】
ブラケット（７）には、フック（７ａ）を支柱（１）の係合孔（６）に係止させたとき、支柱（１）の内側面に密接するようにした後方を向く延出部（９）が連設されている。
【００１１】
延出部（９）の上端には、内向き水平片（９ａ）が、また内向き水平片（９ａ）の内端には、起立片（９ｂ）が形成されている。
【００１２】
左右のブラケット（７）（７）における各延出部（９）の内向き水平片（９ａ）上には、角管を横長の方形枠状に結合するとともに、中間部に前後方向を向く複数の補強杆（１０ａ）を架設して形成した枠材（１０）における左右の側枠杆（１０ｂ）が載置され、必要に応じて、各側枠杆（１０ｂ）の内側面は、延出部（９）の起立片（９ｂ）に当接させられて、適宜ねじ止めされている。
【００１３】
枠材（１０）は、左右の支柱（１）（１）間において、天板（８）の後端より連続するようにして配設されている。
【００１４】
枠材（１０）における複数の補強杆（１０ａ）と左右の側枠杆（１０ｂ）との相互の間には、コードを上下方向に挿通させるための複数の開口（１１）が形成され、各開口（１１）を挟んで対向する補強杆（１０ａ）及び側枠杆（１０ｂ）の側面には、上端が枠材（１０）の上面に開口する下向溝（１２ａ）の下端に前方を向く水平溝（１２ｂ）が連設された側面Ｌ字状の係合溝（１２）が形成されている。
【００１５】
（１３）（１４）（１５）は、枠材（１０）の各開口（１１）を閉塞するカバーで、それらの下面には、上記係合溝（１２）の下向溝（１２ａ）に落し込み可能で、かつ水平溝（１２ｂ）に係合することにより、カバー（１３）（１４）（１５）の上昇を阻止するようにした外向きの突起（１６ａ）を下端部に有する係合爪（１６）が突設されている。
【００１６】
図３に示すように、左方のカバー（１３）には、切断案内線（１７ａ）に沿って切り離し可能な配線キャップ（１７）が設けられている。
【００１７】
図３、図８及び図９に示すように、中央のカバー（１４）には、何も設けられていない。
【００１８】
図３、図６及び図７に示すように、右方のカバー（１５）には、上記と同様の配線キャップ（１７）の他に、差し込み口（１８ａ）を上向きとしたコンセント（１８）が設けられている。
【００１９】
各カバー（１３）（１４）（１５）は、係合爪（１６）の係合突起（１６ａ）を、係合溝（１２）の下向溝（１２ａ）に落し込んだ後、全体を前方へスライドさせて、係合突起（１６ａ）を水平溝（１２ｂ）に係合させることにより、枠材（１０）に装着される。
【００２０】
この装着状態では、例えばプラグ（図示略）をコンセント（１８）から引き抜くときのような上向きの力がカバー（１３）（１４）（１５）に掛かっても、カバー（１３）（１４）（１５）が枠材（１０）から外れることはない。
【００２１】
なお、水平溝（１２ｂ）の上縁を、わずかに前下がり傾斜させておくと、カバー（１３）（１４）（１５）を前方にスライドさせたとき、係合突起（１６ａ）が水平溝（１２ｂ）の上縁に摺接して、係合爪（１６）及びカバー（１３）（１４）（１５）全体が下方に引き下げられ、カバー（１３）（１４）（１５）がより外れにくくなるという利点がある。
カバー（１３）（１４）（１５）を外したい場合には、全体を後方にスライドさせた後、持ち上げるだけでよい。
【００２２】
下部幕板（５）の前面中位部には、横送り用の配線コードを支持するための断面ほぼＬ字状（上向きコ字状としてもよい）の左右方向を向くダクト（１９）が設けられている。
【００２３】
このダクト（１９）は、上記枠材（１０）により形成された開口（１１）の前後長より大きな前後幅を有するとともに、開口（１１）の直下に位置し、かつ天板（８）とともに枠材（１０）を予め定めた下限位置に装着したときに、ブラケット（７）等と干渉しないように、それよりさらに低い位置に配設されている。
【００２４】
左右の支柱（１）（１）におけるダクト（１９）と対応する位置には、配線コードを水平方向に挿通するための開口（２０）が設けられており、この開口（２０）の外側には、上下方向に摺動して開口（２０）を開閉しうるようにしたスライド式のキャップ（２１）が装着されている。
（２２）は、両支柱（１）（１）の上端部間に架設した棚板である。
【００２５】
【発明の効果】
（ａ）  請求項１記載の発明によると、配線挿通用の開口を形成する枠材を、天板の後方に体裁よく、簡単に装着することができ、左右の支柱間における天板の後方を、配線スペースとして有効に活用することができる。
また、天板の高さを変更した場合には、それに伴って枠体の高さも同様に変更することができ、天板と枠体が上下にずれるということがない。
【００２６】
ブラケットの延長部が支柱の内側面に当接することにより、またその上に枠材を載置することにより、ブラケットの左右方向の振れやがたつきが防止され、天板を安定よく、確実に支持することができるとともに、左右の支柱の平行を保つことができる。
天板自体には、配線挿通用の開口等を設けるような加工を施す必要がない。
【００２７】
（ｂ）  請求項２記載の発明によると、カバーによって開口の一部または全部を塞ぎ、カバーの上面を天板面の延長部とすることにより、天板面を広く使うことができる。
【００２８】
（ｃ）  請求項３記載の発明によると、配線コードの接続が容易になる。
【図面の簡単な説明】
【図１】本発明の一実施形態の正面図である。
【図２】同じく側面図である。
【図３】同じく一部切欠平面図である。
【図４】同じく一部切欠斜視図である。
【図５】同じく要部の拡大分解斜視図である。
【図６】１つのカバーの平面図である。
【図７】同じく正面図である。
【図８】他のカバーの正面図である。
【図９】同じく正面図である。
【図１０】ブラケットの側面図である。
【図１１】同じく平面図である。
【図１２】同じく正面図である。
【符号の説明】
（１）支柱
（２）上部連結杆
（３）中位部連結杆
（４）上部幕板
（５）下部幕板
（６）係合孔
（７）ブラケット
（７ａ）フック
（８）天板
（９）延出部
（９ａ）内向き水平片
（９ｂ）起立片
（１０）枠材
（１０ａ）補強杆
（１０ｂ）側枠杆
（１１）開口
（１２）係合溝
（１２ａ）下向溝
（１３）（１４）（１５）カバー
（１６）係合爪
（１６ａ）係合突起
（１７）配線キャップ
（１７ａ）切断案内線
（１８）コンセント
（１８ａ）差し込み口
（１９）ダクト
（２０）開口
（２１）キャップ
（２２）棚板
【図１】
0003584420.tif 000002
【図２】
0003584420.tif 000003
【図３】
0003584420.tif 000004
【図４】
0003584420.tif 000005
【図５】
0003584420.tif 000006
【図６】
0003584420.tif 000007
【図７】
0003584420.tif 000008
【図８】
0003584420.tif 000009
【図９】
0003584420.tif 000010
【図１０】
0003584420.tif 000011
【図１１】
0003584420.tif 000012
【図１２】
0003584420.tif 000013